(57)【特許請求の範囲】
【請求項１】
ルーフパネルとルーフヘッドライニングとの間の収納スペースに配設される支持体と、
前記支持体に車両前後方向に往復直線動可能に支持されるスライダと、
前記スライダにトルクヒンジを用いて上下方向に回動可能に支持されるバイザ本体と、
前記スライダを前記支持体に対して車両前後方向に往復直線的に移動させることで、前記バイザ本体を、前記収納スペース内に位置する後退位置と該後退位置から車両前方に移動して車室内に突出した前進位置とに移動させる電動駆動機構と、
を有し、
前記バイザ本体は、前記トルクヒンジにて前記スライダに対して任意の角度で保持可能とされ、前記トルクヒンジによる保持力よりも大きい力が加えられた際には前記スライダに対して回動可能とされており、
前記電動駆動機構により前記スライダが車両前方に移動し前記バイザ本体が前記後退位置から前記前進位置に移動する動きを利用して、前記バイザ本体を前記スライダに対して前記後退位置にあるときにおける角度から一定の角度だけ下方に回動させる回動機構が設けられており、
前記回動機構は、前記バイザ本体の前記スライダに対する回動軸芯よりも車両後方で前記バイザ本体に下方に膨出して設けられるバイザ側膨出部と、前記支持体に上方に膨出して設けられる支持体側膨出部と、を備えており、
前記バイザ本体が前記後退位置から前記前進位置に移動するときに前記バイザ側膨出部が前記支持体側膨出部に干渉して上方に押し上げられることで、前記バイザ本体が前記スライダに対して下方に回動する、車両用バイザ装置。
【発明の詳細な説明】
【技術分野】
【０００１】
本発明は、車両用のバイザ（サンバイザ）装置に関する。
【背景技術】
【０００２】
特開２００７−２４５８６０号公報は、バイザ本体の電動による車両前方向のスライド動作に連動して、バイザ本体を所定の角度位置まで下方に回動させることができる、車両用バイザ装置を開示している。
【０００３】
しかし、従来装置には、つぎの問題点がある。
バネの付勢力でバイザ本体を当接ローラに押し付けているため、バイザ本体を、当接ローラに当接している角度から異なる任意の角度に手動で角度調節することが難しい。よって、バイザ装置の使用性に改善の余地がある。
【先行技術文献】
【特許文献】
【０００４】
【特許文献１】特開２００７−２４５８６０号公報
【発明の概要】
【発明が解決しようとする課題】
【０００５】
本発明の目的は、バイザ本体の電動による車両前方へのスライド動作に連動してバイザ本体を所定の角度位置まで下方に回動させることができるものにおいて、バイザ本体を任意の角度に手動で角度調節できる車両用バイザ装置を提供することにある。
【課題を解決するための手段】
【０００６】
上記目的を達成する本発明はつぎの通りである。
（１）  ルーフパネルとルーフヘッドライニングとの間の収納スペースに配設される支持体と、
前記支持体に車両前後方向に往復直線動可能に支持されるスライダと、
前記スライダにトルクヒンジを用いて上下方向に回動可能に支持されるバイザ本体と、
前記スライダを前記支持体に対して車両前後方向に往復直線的に移動させることで、前記バイザ本体を、前記収納スペース内に位置する後退位置と該後退位置から車両前方に移動して車室内に突出した前進位置とに移動させる電動駆動機構と、
を有し、
前記バイザ本体は、前記トルクヒンジにて前記スライダに対して任意の角度で保持可能とされ、前記トルクヒンジによる保持力よりも大きい力が加えられた際には前記スライダに対して回動可能とされており、
前記電動駆動機構により前記スライダが車両前方に移動し前記バイザ本体が前記後退位置から前記前進位置に移動する動きを利用して、前記バイザ本体を前記スライダに対して前記後退位置にあるときにおける角度から一定の角度だけ下方に回動させる回動機構が設けられており、
前記回動機構は、前記バイザ本体の前記スライダに対する回動軸芯よりも車両後方で前記バイザ本体に下方に膨出して設けられるバイザ側膨出部と、前記支持体に上方に膨出して設けられる支持体側膨出部と、を備えており、
前記バイザ本体が前記後退位置から前記前進位置に移動するときに前記バイザ側膨出部が前記支持体側膨出部に干渉して上方に押し上げられることで、前記バイザ本体が前記スライダに対して下方に回動する、車両用バイザ装置。
【発明の効果】
【０００７】
上記（１）の車両用バイザ装置によれば、電動駆動機構によりスライダが車両前方に移動しバイザ本体が後退位置から前進位置に移動する動きを利用して、バイザ本体をスライダに対して後退位置にあるときにおける角度から一定の角度だけ下方に回動させる回動機構が設けられている。そのため、バイザ本体の電動による車両前方向のスライド動作に連動してバイザ本体を所定の角度位置まで下方に回動させることができる。
また、バイザ本体は、トルクヒンジにてスライダに対して任意の角度で保持可能とされ、トルクヒンジによる保持力よりも大きい力が加えられた際にはスライダに対して回動可能とされている。そのため、トルクヒンジによる保持力よりも大きい力を加えることで、手動でバイザ本体を任意の角度に角度調節できる。
【０００８】
また、回動機構が、バイザ本体の回動軸芯よりも車両後方でバイザ本体に下方に膨出して設けられるバイザ側膨出部と、支持体に上方に膨出して設けられる支持体側膨出部と、を備えている。そのため、バイザ本体にバイザ側膨出部を一体に形成し、支持体に支持体側膨出部を一体に形成するだけで、新たな部品を追加することなく回動機構を設けることができる。よって、新たな部品を追加して回動機構を設ける場合に比べて、装置のコンパクト化、コストの両点において有利である。
【図面の簡単な説明】
【００１０】
【図１】本発明実施例１の車両用バイザ装置とその近傍の概略断面図である。
【図２】本発明実施例１の車両用バイザ装置の、車両前後方向と直交する面で切断したときの概略断面図である。
【図３】本発明実施例１の車両用バイザ装置の、スライダとバイザ本体のみの模式平面図である。
【図４】本発明実施例２の車両用バイザ装置の、概略側面図である。
【図５】本発明実施例２の車両用バイザ装置の、スライダ、バイザ本体および回動機構の概略分解斜視図である。
【図６】本発明実施例２の車両用バイザ装置の、作動斜視図である。（ａ）は、バイザ本体が後退位置から前進位置側に移動し、スライダ側ピースがシーソー部品に干渉する直前の状態を示す。（ｂ）は、スライダ側ピースがシーソー部品の後側アーム部に干渉してシーソー部品が回動しバイザ本体が押し下げられた状態を示す。（ｃ）は、スライダ側ピースが後側アーム部を通り越した状態を示す。（ｄ）は、バイザ本体が前進位置から後退位置側に移動し、スライダ側ピースがシーソー部品の後側アーム部により車両左右方向に押されて移動した状態を示す。
【発明を実施するための形態】
【００１１】
以下に、本発明実施例の車両用バイザ装置（以下、単にバイザ装置ともいう）を、図面を参照して、説明する。
【００１２】
図１〜図３は、本発明実施例１のバイザ装置を示しており、図４〜図６は、本発明実施例２のバイザ装置を示している。なお、図において、ＦＲは車両前方を示し、ＵＰは上方を示す。また、以下、単に前後、左右、上下を用いて説明する場合、それぞれ、車両の前後方向、車両の左右方向、車両の上下方向を示すものとする。
【００１３】
本発明実施例１と実施例２にわたって共通する部分には、本発明実施例１と実施例２にわたって同じ符号を付してある。
まず、本発明実施例１と実施例２にわたって共通する部分を説明する。
【００１４】
本発明実施例のバイザ装置１０は、図１に示すように、車室天井１の前端部またはその近傍で、運転席および／または助手席の前方に設けられる。バイザ装置１０は、主として車両の前席（運転席、助手席）に着座している乗員Ｐの遮光のために設けられる。
【００１５】
バイザ装置１０は、支持体２０と、スライダ３０と、バイザ本体４０と、電動駆動機構５０（図２参照）と、回動機構６０と、を有する。
【００１６】
支持体２０は、車両に対して固定されており、ルーフパネル２とルーフヘッドライニング３との間の収納スペースＳに配設される。なお、図１において符号４は、フロントガラスである。ルーフヘッドライニング３の前端部には、収納スペースＳを前方に開放する開口３ａが形成されている。支持体２０は、図２に示すように、スライダ３０の左右両側に位置し前後方向に延びるガイドレール部２１を備える。
【００１７】
スライダ３０は、左右の両端部３１が支持体２０のガイドレール部２１に直線的に前後方向にスライド可能に支持されることで、支持体２０に前後方向に直線的にスライド可能に支持される。
【００１８】
バイザ本体４０は、図１に示すように、板状である。バイザ本体４０は、光を通さない光不透過性樹脂製であってもよく、光透過率が１パーセント以上で９９パーセント以下の半透明樹脂製であってもよい。バイザ本体４０は、後端部でスライダ３０の前端部にトルクヒンジ７０を用いて上下方向に回動可能に支持される。バイザ本体４０は、スライダ３０に左右方向に延びる軸芯Ａまわりに上下方向に回動可能に支持される。バイザ本体４０は、トルクヒンジ７０にてスライダ３０に対して任意の上下方向角度で保持可能とされており、トルクヒンジ７０による保持力よりも大きい力が加えられた際にはスライダ３０に対して上下方向に回動可能とされている。
【００１９】
電動駆動機構５０は、スライダ３０を支持体２０に対して前後方向に往復直線的に移動させることで、バイザ本体４０を、収納スペースＳ内に位置する後退位置４０ａと後退位置４０ａから前方に移動して収納スペースＳから車室内に突出した前進位置４０ｂとに移動させる機構である。
【００２０】
電動駆動機構５０は、図２に示すように、電動モータ（アクチュエータ）５１と、電動モータ５１の力をスライダ３０に伝達する動力伝達部５２と、を備える。
【００２１】
電動モータ５１は、支持体２０に固定して設けられている。電動モータ５１は、支持体２０の外部に配設されていてもよく支持体２０の内部に配設されていてもよい。動力伝達部５２は、電動モータ５１の力をスライダ３０に伝達できるものであれば特に限定されるものではなく種々の構成を採用し得る。なお、図示例では、動力伝達部５２は、電動モータ５１にて駆動されるモータ側ピニオン５２ａと、スライダ３０に固定して設けられモータ側ピニオン５２ａと常時噛み合うスライダ側ラック５２ｂと、を備える場合を示している。電動モータ５１の作動でモータ側ピニオン５２ａが回転することで、モータ側ピニオン５２ａの力がスライダ側ラック５２ｂに伝達されてスライダ３０が支持体２０に対して前後動する。
【００２２】
回動機構６０は、図１に示すように、電動駆動機構５０によりスライダ３０が前方に直線的に移動しバイザ本体４０が後退位置４０ａから前進位置４０ｂに直線的に移動する動きを利用して、バイザ本体４０をスライダ３０に対して後退位置４０ａにあるときにおける角度から一定の角度だけ下方に回動させる機構である。
【００２３】
ここで、本発明実施例１と実施例２にわたって共通する作用を説明する。
電動駆動機構５０によりスライダ３０が前方に移動しバイザ本体４０が後退位置４０ａから前進位置４０ｂに移動する動きを利用して、バイザ本体４０をスライダ３０に対して後退位置４０ａにあるときにおける角度から一定の角度だけ下方に回動させる回動機構６０が設けられている。そのため、バイザ本体４０の電動による前方スライド動作に連動してバイザ本体４０を所定の角度位置まで下方に回動させることができる。なお、所定の角度位置は、乗員Ｐ（ＡＭ５０）の使用頻度が最も高いと想定される角度位置である。
【００２４】
バイザ本体４０は、トルクヒンジ７０にてスライダ３０に対して任意の角度で保持可能とされ、トルクヒンジ７０による保持力よりも大きい力が加えられた際にはスライダ３０に対して回動可能とされている。そのため、トルクヒンジ７０による保持力よりも大きい力を加えることで、光の入射角に合わせて前進位置４０ｂにあるバイザ本体４０を手動で任意の角度に角度調節できる。
【００２５】
つぎに、本発明各実施例に特有な部分を説明する。
〔実施例１〕（図１〜図３）
本発明実施例１では、回動機構６０は、バイザ本体４０のスライダ３０に対する回動軸芯Ａよりも後方でバイザ本体４０に下方に膨出して設けられるバイザ側膨出部６１と、支持体２０に上方に膨出して設けられる支持体側膨出部６２と、を備える。
【００２６】
バイザ側膨出部６１は、バイザ本体４０に一体に形成されている。バイザ側膨出部６１は、図３に示すように、バイザ本体４０に後方に延びて形成される後方延出部４１の後側端部から下方に膨出して設けられている。支持体側膨出部６２は、図１に示すように、支持体２０に一体に形成されている。支持体側膨出部６２は、支持体２０の下壁２２の前端部から上方に膨出して設けられている。
【００２７】
ここで、本発明実施例１の作動を説明する。
（ａ）電動駆動機構５０の作動によりバイザ本体４０が後退位置４０ａから前進位置４０ｂに移動するとき、バイザ本体４０が前進位置４０ｂに達する直前で、バイザ側膨出部６１が支持体側膨出部６２に干渉して（重なり合い）上方に押し上げられる。これにより、バイザ本体４０の前端部がスライダ３０に対して下方に回動し、バイザ本体４０は所定の角度（希望とする角度）となる。
【００２８】
（ｂ）電動駆動機構５０の作動によりバイザ本体４０が前進位置４０ｂから後退位置４０ｂに移動するとき（戻るとき）、バイザ本体４０の軸芯Ａよりも前方に位置する部分の下面４２がルーフヘッドライニング３の開口３ａの縁または支持体２０に干渉することでバイザ本体４０の前端部をスライダ３０に対して上方に回動させながら、バイザ本体４０は後退位置４０ａに移動する。
【００２９】
本発明実施例１では、つぎの特有な作用、効果を得ることができる。
回動機構６０が、バイザ本体４０の回動軸芯Ａよりも車両後方でバイザ本体４０に下方に膨出して設けられるバイザ側膨出部６１と、支持体２０に上方に膨出して設けられる支持体側膨出部６２と、を備えている。そのため、バイザ本体４０にバイザ側膨出部６１を一体に形成し、支持体２０に支持体側膨出部６２を一体に形成するだけで、新たな部品を追加することなく回動機構６０を設けることができる。よって、新たな部品を追加して回動機構６０を設ける場合に比べて、装置１０のコンパクト化、コストの両点において有利である。
【００３０】
〔実施例２〕（図４〜図６）
本発明実施例２では、回動機構６０は、図５に示すように、スライダ側ピース６３と、シーソー部品６４と、を備える。回動機構６０は、さらに、ピース付勢部材６５と、シーソー付勢部材６６と、を備える。
【００３１】
スライダ側ピース６３は、スライダ３０に左右方向に可動に支持されており、ピース付勢部材６５により常時左右一側に付勢されている。ピース側付勢部材６５は、特に限定されるものではないが、たとえばコイルスプリング、板バネ等からなる。スライダ側ピース６３は、上面に前方かつ下方に傾斜する第１の傾斜面６３ａと、後面に前方かつ左右一側に傾斜する第２の傾斜面６３ｂと、を備える。
【００３２】
シーソー部品６４は、左右方向に延びる軸芯Ａ１まわりに支持体２０に回動可能に支持される軸部６４ａと、軸部６４ａから前方に延びる前側アーム部６４ｂと、軸部６４ａから後方に延びる後側アーム部６４ｃと、を備える。シーソー部品６４は、シーソー付勢部材６６により常時、後側アーム部６４ｃが下方に移動し前側アーム部６４ｂが上方に移動する方向に回動付勢されている。シーソー付勢部材６６は、特に限定されるものではないが、例えばトーションスプリングからなる。
【００３３】
ここで、本発明実施例２の作動を説明する。
（ａ）電動駆動機構５０の作動によりバイザ本体４０が後退位置４０ａから前進位置４０ｂに移動するとき、図６（ａ）、（ｂ）に示すように、バイザ本体４０が前進位置４０ｂに達する直前で、後側アーム部６４ｃがスライダ側ピース６３の第１の傾斜面６３ａと干渉して（滑り上がり）シーソー付勢部材６６の付勢力に抗して上方に押し上げられる。これにより、シーソー部品６４が軸部６４ａまわりに回動し前側アーム部６４ｂにてバイザ本体４０を押し下げる。この結果、バイザ本体４０の前端部がスライダ３０に対して下方に回動し、バイザ本体４０は所定の角度（希望とする角度）となる。なお、バイザ本体４０が前進位置４０ｂに達したとき、図６（ｃ）に示すように、シーソー部品６４の後側アーム部６４ｃは、スライダ側ピース６３を乗り越えており、スライダ側ピース６３より後方にある。
【００３４】
（ｂ）電動駆動機構５０の作動によりバイザ本体４０が前進位置４０ｂから後退位置４０ｂに移動するとき（戻るとき）、バイザ本体４０の軸芯Ａよりも前方に位置する部分の下面４２がルーフヘッドライニング３の開口３ａの縁または支持体２０に干渉することでバイザ本体４０の前端部をスライダ３０に対して上方に回動させながら、バイザ本体４０は後退位置４０ａに移動する。
また、バイザ本体４０が後退位置４０ａに移動するとき、図６（ｃ）、（ｄ）に示すように、スライダ側ピース６３の第２の傾斜面６３ｂが、シーソー部品６４の後側アーム部６４ｃと干渉し左右方向に移動する。このため、バイザ本体４０の前進位置４０ｂから後退位置４０ａへの動きがスライダ側ピース６３およびシーソー部品６４により阻害されることはない。
【００３５】
本発明実施例２では、つぎの特有な作用、効果を得ることができる。
回動機構６０が、スライダ側ピース６３と、シーソー部品６４と、を備えており、バイザ本体４０が後退位置４０ａから前進位置４０ｂに移動するときに後側アーム部６４ｃがスライダ側ピース６３と干渉して上方に押し上げられることで、シーソー部品６４が軸部６４ａまわりに回動し前側アーム部６４ｂにてバイザ本体４０を押し下げる。そのため、シーソー部品６４を利用して、バイザ本体４０を所定の角度位置まで下方に回動させることができる。
【符号の説明】
【００３６】
１  車室天井
２  ルーフパネル
３  ルーフヘッドライニング
３ａ  開口
４  フロントガラス
１０  車両用バイザ装置
２０  支持体
２１  ガイドレール部
２２  支持体の下壁
３０  スライダ
３１  両端部
４０  バイザ本体
４０ａ  後退位置
４０ｂ  前進位置
４１  後方延出部
５０  電動駆動機構
５１  電動モータ
５２  動力伝達部
５２ａ  モータ側ピニオン
５２ｂ  スライダ側ラック
６０  回動機構
６１  バイザ側膨出部
６２  支持体側膨出部
６３  スライダ側ピース
６３ａ  第１の傾斜面
６３ｂ  第２の傾斜面
６４  シーソー部品
６４ａ  軸部
６４ｂ  前側アーム部
６４ｃ  後側アーム部
６５  ピース付勢部材
６６  シーソー付勢部材
７０  トルクヒンジ
Ａ、Ａ１  軸芯
Ｓ  収納スペース
【図１】
0006433352.tif 000002
【図２】
0006433352.tif 000003
【図３】
0006433352.tif 000004
【図４】
0006433352.tif 000005
【図５】
0006433352.tif 000006
【図６】
0006433352.tif 000007